(57)【要約】【課題】  葉書と同一の郵便料金で取り扱うことが可能であると共に、新規需要を喚起することができるような、全く新しい親展葉書を提供する。【解決手段】  表紙片と裏紙片とにより、少なくとも一方の紙片を立設させるための立設部材を挟み込むと共に、表紙片と裏紙片との面間を剥離可能に接着して成るものとした。この平面状の隠蔽葉書は、剥離後に立設部材によって立体物としてのスタンド型表示体と成る。【選択図】  図１
2005212464.tif 000002
【特許請求の範囲】
【請求項１】
表紙片と裏紙片とにより、少なくとも表紙片を立設させるための立設部材を挟み込むと共に、表紙片と裏紙片との面間を剥離可能に接着して成る、スタンド型表示体と成る隠蔽葉書。
【請求項２】
前記立設部材が上端部で表紙片に固定されて表紙片を傾斜状態に立て掛けるための脚部である、請求項１に記載のスタンド型表示体と成る隠蔽葉書。
【請求項３】
前記立設部材が底板部とこの底板部から起立させる起立部とを備えこの起立部に表紙片を差し込んで立てることが可能なスリットが設けられている、請求項１に記載のスタンド型表示体と成る隠蔽葉書。
【請求項４】
前記立設部材が表紙片と裏紙片とを繋いで立体化し得る橋絡部である、請求項１に記載のスタンド型表示体と成る隠蔽葉書。
【請求項５】
表紙片と裏紙片とは一繋がりの紙片を２つ折りにしたものであって、表紙片と裏紙片とで筒状体を形成し得るように、折り辺に対向する辺である両側部を接続し得る接続手段を備えており、前記立設部材は表紙片と裏紙片との間の少なくとも底部を広げて立体化することが可能な突っ張り部である、請求項１に記載のスタンド型表示体と成る隠蔽葉書。
【請求項６】
表紙片と裏紙片とは別体であり、表紙片と裏紙片とで筒状体を形成し得るように、各々の紙片の両側部を接続し得る接続手段を備えており、前記立設部材は表紙片と裏紙片との間の少なくとも底部を広げて立体化することが可能な突っ張り部である、請求項１に記載のスタンド型表示体と成る隠蔽葉書。
【請求項７】
前記突っ張り部は表紙片および裏紙片とは別体のものである、請求項５または請求項６に記載のスタンド型表示体と成る隠蔽葉書。
【請求項８】
前記突っ張り部は表紙片または裏紙片と一繋がりのものである、請求項５または請求項６に記載のスタンド型表示体と成る隠蔽葉書。
【請求項９】
前記突っ張り部は表紙片および裏紙片に面で接する接触部を備えたものである、請求項７に記載のスタンド型表示体と成る隠蔽葉書。
【請求項１０】
表紙片および裏紙片にスリットが形成されており且つ前記突っ張り部は前記スリットに挿入可能な挿入片を備えている、請求項７に記載のスタンド型表示体と成る隠蔽葉書。
【請求項１１】
前記突っ張り部は表紙片または裏紙片と一繋がりであると共に、一繋がりではない側の紙片に対して面で接する接触部を突っ張り部の自由端部に備えている、請求項８に記載のスタンド型表示体と成る隠蔽葉書。
【請求項１２】
前記突っ張り部は表紙片と一繋がりのものであると共に裏紙片に設けられたスリットに挿入する挿入片を備えている、請求項８に記載のスタンド型表示体と成る隠蔽葉書。
【請求項１３】
表紙片は一繋がりの紙片を２つ折りにして面間を剥離可能に接着して成るものであり、面間の剥離後に筒状体を形成し得るように、折り辺に対向する辺である両側部分を接続し得る接続手段を備えており、前記立設部材は筒状体の少なくとも底部分を広げて立体化し得るように２つ折りの裏側と成る紙片の側に設けられた折り込み式の突っ張り部であり、この折り込み部を隠すように裏紙片が接着されている、請求項１に記載のスタンド型表示体と成る隠蔽葉書。
【請求項１４】
表紙片と裏紙片とは一繋がりの紙片を２つ折りにしたものであって、表紙片と裏紙片とで筒状体を形成し得るように、折り辺に対向する辺である両側部を接続し得る接続手段を備えており、前記立設部材は折り辺とこの対向する辺との間に架け渡された引っ張り部である、請求項１に記載のスタンド型表示体と成る隠蔽葉書。
【請求項１５】
表紙片と裏紙片とは別体であり、表紙片と裏紙片とで筒状体を形成し得るように、各々の紙片の両側部を接続し得る接続手段を備えており、前記立設部材は両側部間に架け渡された引っ張り部である、請求項１に記載のスタンド型表示体と成る隠蔽葉書。
【請求項１６】
前記引っ張り部が紐状体である、請求項１４または請求項１５に記載のスタンド型表示体と成る隠蔽葉書。
【請求項１７】
前記引っ張り部が板状体である、請求項１４または請求項１５に記載のスタンド型表示体と成る隠蔽葉書。
【発明の詳細な説明】
【技術分野】
【０００１】  この発明は表紙片と裏紙片との面間を剥離可能に接着して成る所謂隠蔽葉書に係り、特に表紙片から裏紙片を剥離した後に立体化してスタンド型表示体とすることが可能な隠蔽葉書に関する。
【背景技術】
【０００２】  従来より親展葉書や隠蔽葉書などと呼称される、葉書と同一の郵便料金で取り扱うことが可能なものが実用化されている。このものは記載できる情報量を封書並に増やす目的で、大判の紙葉を２つ折りや３つ折りにし、各紙片間に挟み込んだ感熱接着シートを介して疑似接着することによって葉書サイズと為すものや、葉書サイズの紙片に別体の葉書サイズの紙片を感熱接着シートを介して重合し、疑似接着して成るものなどがある。前記各紙片は感熱接着シートの疑似接着層を以て剥離することが可能である。而して受取人が各紙片の剥離を行なうまでは、各紙片の感熱接着シート側の面に記載された情報は親展を保つことができるのである。【０００３】  なおこのような感熱接着シートとして、特開２００２−２９１８１号「疑似接着シート及びそれを用いた情報通信体」や、特開２００３−２２１５６０号「感熱接着シート及びそれを用いた情報記録体」の発明を上げることができる。
【特許文献１】特開２００２−０２９１８１号公報
【特許文献２】特開２００３−２２１５６０号公報
【発明の開示】
【発明が解決しようとする課題】
【０００４】  しかしながら上述したような親展葉書は、葉書と同一の郵便料金で取り扱うことができるものの、単に記載できる文書の情報量を封書並に増やすだけの目的で利用されるものであって、それ以外の用途は考えられていない。すなわち単純に情報量を増やすのではなく更に興趣あるものとすることによってこのような親展葉書の分野に新たな需要が喚起できるはずである。【０００５】  そこでこの発明は、上述したような親展葉書の構造を改良することで新規需要を喚起できるような全く新しい親展葉書を提供することを課題とする。
【課題を解決するための手段】
【０００６】  上記課題の解決に先立って当発明者は、上述した親展葉書が、接着されて葉書サイズである時も剥離され展開された時も、何れも平面状であると言う点に着目した。すなわち従来の親展葉書には、立体物を平面状の親展葉書に加工する技術も、またそれを剥離して展開した時に立体物に戻せるような技術も存在しておらず、従って立体物を葉書サイズにして葉書と同一の郵便料金で取り扱うことができるようにすれば、正に画期的な発明となるとの知見を得た。【０００７】  上記課題は、表紙片と裏紙片とにより少なくとも表紙片を立設させるための立設部材を挟み込むと共に、表紙片と裏紙片との面間を剥離可能に接着して成る、スタンド型表示体と成る隠蔽葉書とすることにより達成される。この隠蔽葉書の表紙片と裏紙片とを離間させるように引くと、両者はその面間から剥離して、これまで隠蔽されていた内側面と共に表紙片と裏紙片とによって挟み込まれていた立設部材が現われる。従ってこの立設部材を利用して少なくとも表紙片を立設させることができ、立体物であるスタンド型表示体とすることができるのである。なおこの際に表紙片は、裏紙片に疑似的に接着されていた側の面を表側にすると良く、この面に任意の表示を行なうのである。【０００８】  この立設部材に付いて、表紙片の新たに裏側となった面に上端部分で固定されて、表紙片を傾斜状態に立て掛けるための脚部とすることができる。このように立体化された状態は恰かも写真立てや卓上カレンダーのようである。なお表紙片と裏紙片は並べて立て掛けるようにしても、表紙片と裏紙片とを重合しても、あるいは表紙片と裏紙片との間にミシン目を入れておいてここから切り離して表紙片だけをまたは裏紙片だけを使用するようにしてもよい。なお前記脚部の上端部と表紙片や裏紙片との固定手段としては、スリットと挿着片との組、面テープのオス・メスの組、粘着部などの任意の手段を採用することが可能である。【０００９】  また前記立設部材が、底板部とこの底板部から起立させる起立部とを備えこの起立部に表紙片を差し込んで立てることが可能なスリットが設けられているものとすることができる。例えば底板部にコ字形状の切り込みを入れておくと、このコ字形状の切り込みの内側の部分を底板部から起立させて起立部と為すことが可能である。従ってこのような起立部を２つ略並行に設けておき、且つスリットを設けておくと、表紙片や裏紙片をこの２つのスリット間に架け渡すようにして差し込んで立てることができるのである。なお隠蔽葉書の状態では、起立部が立設部材とは面一の平面状態となって表紙片と裏紙片との間に挟み込まれている。【００１０】  また前記立設部材が、表紙片と裏紙片とを繋いで立体化し得る橋絡部であるものとすることができる。例えば表紙片と裏紙片とを離間させるように引きＶ字形状に開いて、表紙片と裏紙片との間に橋絡部を設けるようにすれば、平面視で三角形状となって自立可能となる。橋絡部は表紙片と裏紙片との間に挟み込むことで隠蔽葉書となるが、剥離し展開することによって立体化できるのである。なお橋絡部は表紙片や裏紙片から独立した別体としても、表紙片または裏紙片の何れか一方または両方に橋絡部の端部で繋がっているものとしてもよい。��００１１】  ところで上記は立設部材として脚部や、起立部を備えた底板部を用いて、表紙片や裏紙片を立て掛けるものであったり、橋絡部で表紙片と裏紙片とをＶ字形状に開いて自立させるものであった。これに対して以下で説明するものは、表紙片と裏紙片とで筒状体を形成し得るようにし、この筒状体を維持させて立たせるための立設部材として、突っ張り部や引っ張り部を備えるものである。【００１２】  すなわち表紙片と裏紙片とは一繋がりの紙片を２つ折りにしたものであって、表紙片と裏紙片とで筒状体を形成し得るように、折り辺に対向する辺である両側部を接続し得る接続手段を備えており、前記立設部材は表紙片と裏紙片との間の少なくとも底部を広げて立体化することが可能な突っ張り部であるものとすることができる。或いは表紙片と裏紙片とは別体であり、表紙片と裏紙片とで筒状体を形成し得るように、各々の紙片の両側部を接続し得る接続手段を備えており、前記立設部材は表紙片と裏紙片との間の少なくとも底部を広げて立体化することが可能な突っ張り部であるものとすることができる。何れの場合も表紙片と裏紙片との間を脹らませて平面状の隠蔽葉書を立体化し、自立出来るようにしたものである。【００１３】  紙製の円筒などでは、両側から均一に圧力が加えられると平面状に潰れるが、この加圧方向とは直角の両側部方向からの圧力によって、元の円筒に近い形状に復元させられることが知られている。この原理を応用したものとして例えば意匠登録第１１８５９２４号を上げることができる。そしてこの原理に基づいて前記表紙片と裏紙片とを接続手段によりその両側部で繋がるように為してから全体を脹らませるのであるが、この膨らんだ状態を保たせるために突っ張り部を使用するのである。意匠登録第１１８５９２４号では背壁部に設けられたドーム状等の切り込み部を、円弧状の折り線を付けるようにして内側へ折り込むことにより、前記切り込み部が突っ張り部となって前壁部を押して、膨らんだ状態を保持するのである。この突っ張り部にはこの他、３つ折り４つ折りにして角筒状の台部に成形し表紙片と裏紙片との間に装着し得るようにした紙片や、次に述べるような各種紙片が利用可能である。【００１４】  すなわち前記突っ張り部は表紙片および裏紙片とは別体のものであったり、あるいは表紙片または裏紙片と一繋がりのものであったりする。別体である場合には表紙片および裏紙片に面で接する接触部を備えたものとしたり、表紙片および裏紙片にスリットが形成されており且つ前記突っ張り部は前記スリットに挿入可能な挿入片を備えているものとすることができる。あるいはこれ等の中間タイプとして、一側に前記接触部を備え他側にスリットに挿入可能な挿入片を備えているものも可能である。また表紙片または裏紙片と突っ張り部の一側で一繋がりである場合には、一繋がりではない側の紙片に対して面で接する接触部を他側に備えているものとしたり、表紙片と一繋がりのものであると共に裏紙片に設けられたスリットに挿入する挿入片を備えているものとすることができる。【００１５】  また前記突っ張り部には次の如き構成も可能である。すなわち表紙片は一繋がりの紙片を２つ折りにして面間を剥離可能に接着して成るものであって、面���の剥離後に筒状体を形成し得るように折り辺に対向する辺である両側部を接続し得る接続手段を備えており、前記立設部材は筒状体の少なくとも底部分を広げて立体化し得るように２つ折りの裏側と成る紙片（裏紙片と呼んでも構わないが、この場合には折り込み部を隠す裏紙片のことを隠蔽紙片と呼び代えるのがよい）の側に設けられた折り込み式の突っ張り部であり、この折り込み部を隠すように裏紙片が疑似接着されているものとすることができる。２枚重ねの表紙片を剥離すると、中央に折り目のある一繋がりの紙片と成る。また裏紙片を剥離すると折り込み部が現われる。従って前記接続手段によって筒状体を形成し、次に折り込み部を筒状体の内方へ折り込むと、突っ張り部が対向する紙片を突っ張って筒状体を脹らんだ状態に保つことができるのである。【００１６】  なお前記折り込み部は切り込みにより形成したり、折り込み片を貼付することによって形成することができる。これ等は裏紙片により隠蔽される。なお裏紙片は表紙片とは別体であっても一体であってもよい。一体の場合は裏紙片を剥離時に千切り取るようにすれば良いが、この目的のためにミシン目を入れておく方が好ましくある。【００１７】  さて、表紙片と裏紙片とで筒状体を形成し得るようにして、この筒状体を維持させて立たせるための立設部材として、突っ張り部や引っ張り部を備えることを上述したが、次ではこの引っ張り部を備えたものに付いて説明する。【００１８】  すなわち表紙片と裏紙片とは一繋がりの紙片を２つ折りにしたものであって、表紙片と裏紙片とで筒状体を形成し得るように、折り辺に対向する辺である両側部を接続し得る接続手段を備えており、前記立設部材は折り辺とこれに対向する辺との間に架け渡された引っ張り部であるものとすることができる。あるいは表紙片と裏紙片とは別体であり、表紙片と裏紙片とで筒状体を形成し得るように、各々の紙片の両側部を接続し得る接続手段を備えており、前記立設部材は両側部間に架け渡された引っ張り部であるものとすることができる。何れの場合も表紙片と裏紙片との間を脹らませて平面状の隠蔽葉書を立体化し、自立出来るようにしたものである。【００１９】  前記表紙片と裏紙片とを接続手段によってその両側部で繋がるように為してから全体を脹らませるのであるが、この膨らんだ状態を保たせるために前記引っ張り部を使用するのである。この引っ張り部は紐状体で構成したり、板状体で構成することができる。これ等は表紙片と裏紙片との間に挟み込まれて、隠蔽葉書は全くの平面状態となっている。
【発明の効果】
【００２０】  この発明のスタンド型表示体と成る隠蔽葉書によれば、立体物を平面状の親展葉書とすることができ、またそれを剥離して展開した時には立体物に戻すことができる。従って、立体物を葉書サイズにして葉書と同一の郵便料金で取り扱うことが可能となり、新規需要を喚起することができる。
【発明を実施するための最良の形態】
【００２１】  第１実施形態
このスタンド型表示体と成る隠蔽葉書は、表紙片１と裏紙片２との間に同型のラテックスシート４を挟み込んで剥離可能に仮接着して成るが、この際に間に脚片３を挟み込んでおく。後に仮接着部分から剥離して脚片３を取り出して表紙片１を立て掛けるのに使用する。ラテックスシート４の密着性は良好であるが、綺麗に剥離することが出来る。【００２２】  第２実施形態
表紙片１または裏紙片２と立設部材との間に同型の感熱接着シートを挟み込んで仮接着して成る。この感熱接着シートは少なくとも３層構造であり、疑似接着層６０と両面の接着層６とのサンドイッチ構造を呈する。この場合に剥離は疑似接着層６０で起こる。【００２３】  第３実施形態
前記立設部材は台紙５に内蔵されており、この台紙５を表紙片１または裏紙片２から剥離した後に、台紙５内より立設部材を切り出すものである。【００２４】  第４実施形態
前記立設部材は表紙片１または裏紙片２に内蔵されており、これを隠すためのカバーシート７を前記感熱接着シートを介して立設部材がある面に接着して成るものである。【００２５】  第５実施形態
仮接着された表紙片１と裏紙片２とを剥離した後、表紙片１と裏紙片２とをその両側部で繋げ、表紙片１と裏紙片２との間に突っ張り片５３を装着し、全体を筒状に立体化して立てられるように為したものである。【００２６】  第６実施形態
仮接着された表紙片１と裏紙片２とを剥離した後、表紙片１と裏紙片２とをその両側部で繋げ、この両側部間にゴム紐８を張り渡して両者を引っ張り、全体を筒状に立体化して立てられるように為したものである。
【実施例】
【００２７】  第１実施例
図１および図２によってこの実施例を説明する。図２の側面図に於いて表紙片１に脚片３を重合し、この上にラテックスシート４を介在させるようにして裏紙片２を仮接着させて成る。表紙片１、ラテックスシート４、裏紙片２は同型のものであり、脚片３は表紙片１よりも小さく表紙片１の中央部分に置かれる。また表紙片１と裏紙片２とは一繋がりであるが、中央部に設けたミシン目１０から２つ折りにすることが出来、且つこの部位から切断可能である。【００２８】  このようにして成る葉書であるが、受け取った側では表紙片１から裏紙片２を剥離すると共に、両者をミシン目１０から切断する。そして表紙片１に重合されていた脚片３を取り出して、その端部に設けられている接着部３０を表紙片１に貼り付けると、この脚片３を以て表紙片１を所謂写真スタンドのように立て掛けることが出来る。なお表紙片１から裏紙片２を剥離するまでは表面に宛名の記載や切手の貼り付けが為されているが、剥離後は内面のこれまで隠蔽されていた面が表面と成る。従って新しい表面に汚れなどはないことに成る。また脚片３はこの際に裏面と成る側に接着される。【００２９】  第２実施例
この実施例では上述した第１実施例の脚片３に代わって立設板４０を挟み込むようにしている点に特徴を有する。すなわち立設板４０に挟持片４１を引き起こし得る形状の切り込みが左右に設けられている（図３を参照のこと）。この挟持片４１を立設板４０に対して９０度ほど引き起こし、挟持片４１の溝に表紙片１等を差し込んで立てるようにするのである。挟持片４１を引き起こさない状態では立設板４０は挟持片４１共々平面状を呈しているため、表紙片１と裏紙片２との間に挟み込んで隠蔽葉書と為すことが出来るのである。【００３０】  第３実施例
図４はこの実施例を斜視図で表したものである。表紙片１と裏紙片２と橋絡片４２とが一繋がりに形成されているが、表紙片１と裏紙片２とは同じ縦横サイズであるものの、橋絡片４２はその下縁部を表紙片１及び裏紙片２の下縁部に揃えると共に高さを２分の１とし、更にその自由端部に接合片４３を連設し、ここに掛合部４４を起こすための切り込みを設けて成る。なおこの接合片４３を接合させるための表紙片１の自由端部には、前記掛合部４４を挿入するためのスリット１１が設けられている。【００３１】  この橋絡片４２は表紙片１と裏紙片２との間に挟まれて全体が隠蔽葉書と成っているが、これ等を剥離して表裏を返し、前記接合片４３を折り曲げ、更に掛合部４４を起こして表紙片１のスリット１１に挿通することで、全体を立体化して自立させることが出来るのである。【００３２】  第４実施例
次に図５乃至図７によってこの実施例を説明する。図６の側面図に於いて一繋がりに形成した表紙片１と裏紙片２と台紙５’とを３つ折りにして、その各々の紙片の間に、２つの接着層６で疑似接着層６０を挟んでサンドイッチ状に積層して成る感熱接着シートを挿入し、この全体を加熱圧着して隠蔽葉書と成したものである。前記表紙片１と裏紙片２と台紙５’と感熱接着シートとは全て同型同大のものであって、接着層６が表紙片１と裏紙片２と台紙５’とに接着している。なお台紙５’は表紙片１に連続する部位を、接着片１２と成る幅だけ表紙片１側に取られる形でミシン目５２で分けられて、台紙５が形成されている。この台紙５には、台片５１が切り取り得るようにミシン目５０が入れられている（図５を参照のこと）。【００３３】  図６の隠蔽葉書を剥離しようとすると疑似接着層６０の部位から剥離が起こって１枚の紙片に展開される。そこで図５で表したようにミシン目５２で切り裂いて表紙片１及び裏紙片２と、台紙５とに分け、この台紙５のミシン目５０に添って台紙５から台片５１を切り出す。表紙片１と裏紙片２はその表裏を返して接着片１２を裏紙片２の自由端部に接着させる。一方台片５１を折り線に添って折り三角筒を作る。而してこの台片５１による三角筒を前記表紙片１と裏紙片２との底部間に装着させてこの部位を膨らませ、全体を立体化して自立させるようにすればよい（図７）。【００３４】  第５実施例
図８及び図９はこの実施例を表したものであるが、表紙片１と裏紙片２と接着片１２とが横に一繋がりに形成されていると共に、裏紙片２の下縁部から下方へ台紙５が一繋がりに形成されている。この台紙５には上下端部に折り返し部５４と接触片５５とが突設されると共に折り返し部５４で裏紙片２の下縁部に接続されている舟形の突っ張り片５３が、ミシン目５０によって設けられている。なお裏紙片２と台紙５との境界線は、前記折り返し部５４による裏紙片２への接続部を除いてミシン目５０が入れられている。そして表紙片１と裏紙片２と台紙５とを折り畳み、この間に各々図示しない感熱接着シートを挟んで加熱圧着して隠蔽葉書が完成する。なお前記接着片１２が表紙片１の側に突出するが、これを含めて葉書大と成るようにしている。【００３５】  この隠蔽葉書を剥離して図８で示すように展開し、ミシン目５０に沿って台紙５を切り離した後、接着片１２を裏紙片２の自由端部に接着させてから折り返し部５４を内側に折り返して、表紙片１と裏紙片２との間を突っ張り片５３で突っ張るようにする。接触片５５も折り返して表紙片１側に接触させ突っ張り片５３を安定化させる。このようにして全体を立体化して自立させることが出来る。【００３６】  第６実施例
この実施例では上述した第５実施例の折り返し部５４及び接触片５５に代わって挿入片５６が突っ張り片５３の上下端部に突設されている点に特徴を有する。すなわちこの挿入片５６は、表紙片１の相当位置に開孔されたスリット１３と、裏紙片２の相当位置に開孔されたスリット２０とに挿入されて、突っ張り片５３で表紙片１と裏紙片２との間を固定的に突っ張るようにするための設けられたものである。なお立体化した状態の全体形状は、下方が筒状体で上方が潰れたような形状と成っている（図１０）。【００３７】  なお突っ張り片５３をもう一つ取り付けることによって、潰れのない筒状体にすることが出来るのは明白である。これは他の実施例に於いても同様である。【００３８】  なお表紙片１や裏紙片２に対する接触片と、表紙片１や裏紙片２に設けたスリットに対する挿入片とを、混在させた構成も可能である。【００３９】  第７実施例
図１１はこの実施例を斜視図で表したものである。接着片１２と表紙片１と、裏紙片２と切り取り片１４とが、一繋がりに形成されている。表紙片１と裏紙片２とは同型同大である。また狭幅の接着片１２と切り取り片１４とは同型同大であるが、切り取り片１４のみミシン目によって裏紙片２から切断可能に為されている。また裏紙片２には切れ込み線２２と折り曲げ線２３とによって舟形の突っ張り片２１が形作られている。一方２枚の感熱接着シートは裏紙片２と切り取り片１４とを併せたものと同型同大であり、内１枚を表紙片１と裏紙片２との間に挟み込んで加熱圧着する。また別の感熱接着シートを挟んで前記裏紙片２の上にカバーシート７が被せられており、これによって前記切れ込み線２２等を隠蔽している。【００４０】  そこでカバーシート７を剥離して取り去り、表紙片１と裏紙片２とを剥離してその表裏を返し、切り取り片１４を破り捨てこの破った縁部に接着片１２を接着する。而して舟形の突っ張り片２１を折り曲げ線２３から内側に折り込んで切れ込み線２２による切断端部で表紙片１を突っ張るようにすると、表紙片１と裏紙片２との間を膨らませて立体化させることが出来るのである。【００４１】  第８実施例
次に図１２によってこの実施例を説明する。表紙片１と裏紙片２と図示しない封筒とを、各々の間に感熱接着シートを挟み込んで加熱圧着することによって、隠蔽葉書が形成されている。表紙片１と裏紙片２と封筒とは同型同大であるが、この封筒の中にはゴム紐８が納められている。なお表紙片１の両側部には接合片１５が、裏紙片２の両側部には接合片２４が設けられている。【００４２】  表紙片１と裏紙片２と封筒とを剥離した後、表紙片１と裏紙片２はその表裏を返し、新たに裏側と成った方向に接合片１５及び接合片２４を折り返し、接合片同士を合わせて接合することによって、表紙片１と裏紙片２とで潰れた筒状体を作る。前記接合片１５と接合片２４とには、両者を貫通する通孔１６と通孔２５とが開孔されている。そこで図示しない封筒内に納められているゴム紐８を取り出して、その両端部を左右の接合片１５，２４の通孔１６，２５に通し環部８０を作って縛り、ゴム紐８を適度の強さで引くようにすると、表紙片１と裏紙片２との間を膨らませて立体化させ、自立させることが出来る。このように表紙片１と裏紙片２との間を突っ張るのではなく、両端部を引っ張ることによっても立体化が可能である。なおテープや紙片等々の板状体で前記両端部間を所要の間隔に固定する構成も可能である。
【産業上の利用可能性】
【００４３】  この発明の隠蔽葉書は表示体であるから、飛び出すカードのような立体化にも応用が可能である。また隠蔽する立体物としてスポンジのように自然な形状復元力を備えたものを使用することが可能である。スポンジは隠蔽葉書きの状態では潰れているが、開放されると元の大きさに膨らんで立体化する。なおこの発明に於ける表紙片や裏紙片に付いては単なる呼称であって、特に区別をしなくてはならない場合を除いて何れを表紙片と呼んでも構わないものである。
【図面の簡単な説明】
【００４４】
【図１】  第１実施例の説明図である。
【図２】  同実施例の側面図である。
【図３】  第２実施例の斜視図である。
【図４】  第３実施例の斜視図である。
【図５】  第４実施例の説明図である。
【図６】  同実施例の側面図である。
【図７】  同実施例の平面図である。
【図８】  第５実施例の説明図である。
【図９】  同実施例の平面図である。
【図１０】  第６実施例の斜視図である。
【図１１】  第７実施例の説明図である。
【図１２】  第８実施例の平面図である。
【符号の説明】
【００４５】１    表紙片
１０  ミシン目
１１  スリット
１２  接着片
１３  スリット
１４  切り取り片
１５  接合片
１６  通孔
２    裏紙片
２０  スリット
２１  突っ張り片
２２  切れ込み線
２３  折り曲げ線
２４  接合片
２５  通孔
３    脚片
３０  接着部
４    ラテックスシート
４０  立設板
４１  挟持片
４２  橋絡片
４３  接合片
４４  掛合片
５    台紙
５’  台紙
５０  ミシン目
５１  台片
５２  ミシン目
５３  突っ張り片
５４  折り返し部
５５  接触片
５６  挿入片
６    接着層
６０  疑似接着層
７    カバーシート
８    ゴム紐
８０  環部
【図１】
2005212464.tif 000003
【図２】
2005212464.tif 000004
【図３】
2005212464.tif 000005
【図４】
2005212464.tif 000006
【図５】
2005212464.tif 000007
【図６】
2005212464.tif 000008
【図７】
2005212464.tif 000009
【図８】
2005212464.tif 000010
【図９】
2005212464.tif 000011
【図１０】
2005212464.tif 000012
【図１１】
2005212464.tif 000013
【図１２】
2005212464.tif 000014